(57)【特許請求の範囲】
【請求項１】
ユニークなIDが対応付けされてこれを記憶している非接触ICチップを用いて、記録媒体に記録された記録情報の原本性を確認する方法であって、
サーバが、前記記録媒体に対するリーダ端末から、該リーダ端末により読み取られた、記録情報イメージデータを当該記録媒体が実装する非接触ＩＣチップのＩＤと共に受付ける原本データ受付手順と、
前記受け付けた前記非接触ＩＣチップのIDを、非接触ＩＣチップのIDを管理する適宜なデータベースに照合する手順と、
前記照合により、前記受け付けた非接触ＩＣチップのIDが、前記データベースにて予め登録されたIDであるとの結果を得られれば、前記受け付けた前記非接触ICチップのIDに前記記録情報イメージデータを対応付けしてデータベースに記録する原本データ登録手順と、
原本性確認の対象となる記録情報が記録された確認記録媒体に対するリーダ端末による読み込み動作により得られた当該確認記録媒体が実装する非接触ICチップのIDを、当該リーダ端末から受け付ける確認情報受付手順と、
前記リーダ端末から受け付けた確認情報としてのIDに基づいて、対応する記録情報イメージデータを前記データベースにおいて検索し、この記録情報イメージデータを出力端末に送るイメージ送出手順と、
を含むことを特徴とする原本性確認方法。
【請求項２】
前記確認情報受付手順において、原本性確認の対象となる記録情報が記録された確認記録媒体に対するリーダ端末による読み込み動作により得られた記録情報イメージデータと当該記録媒体が実装する非接触ICチップのIDとを、当該リーダ端末から受け付け、
前記イメージ送出手順において、前記確認情報受付手順で受け付けた前記IDに対応する原本データたる原本記録情報イメージデータを前記データベースにおいて検索し、この原本記録情報イメージデータと前記確認記録媒体由来の記録情報イメージデータとの同一性判定を行って、この判定結果を出力端末に送ることを特徴とする請求項１に記載の原本性確認方法。
【請求項３】
前記原本データ受付手順において、前記リーダ端末から原本データを受付けるに際しリーダ端末付与の電子署名を合わせて受け付け、
原本データ登録手順において、前記電子署名を前記IDに関係付けて記録することを特徴とする請求項１に記載の原本性確認方法。
【請求項４】
サーバが、原本データ登録手順において登録する原本データに電子署名を施すことを特徴とする請求項１に記載の原本性確認方法。
【請求項５】
ユニークなIDが対応付けされてこれを記憶している非接触ICチップを用いて、記録媒体に記録された記録情報の原本性を確認するサーバシステムであって、
前記記録媒体に対するリーダ端末から、該リーダ端末により読み取られた、記録情報イメージデータを当該記録媒体が実装する非接触ＩＣチップのＩＤと共に受付ける原本データ受付手段と、
前記受け付けた前記非接触ＩＣチップのIDを、非接触ＩＣチップのIDを管理する適宜なデータベースに照合する手段と、
前記照合により、前記受け付けた非接触ＩＣチップのIDが、前記データベースにて予め登録されたIDであるとの結果を得られれば、前記受け付けた前記非接触ICチップのIDに前記記録情報イメージデータを対応付けしてデータベースに記録する原本データ登録手段と、
原本性確認の対象となる記録情報が記録された確認記録媒体に対するリーダ端末による読み込み動作により得られた当該確認記録媒体が実装する非接触ICチップのIDを、当該リーダ端末から受け付ける確認情報受付手段と、
前記リーダ端末から受け付けた確認情報としてのIDに基づいて、対応する記録情報イメージデータを前記データベースにおいて検索し、この記録情報イメージデータを出力端末に送るイメージ送出手段と、
を含むことを特徴とする原本性確認システム。
【請求項６】
ユニークなIDが対応付けされてこれを記憶している非接触ICチップを用いて、記録媒体に記録された記録情報の原本性を確認する方法をサーバ上で実現するプログラムであって、
前記記録媒体に対するリーダ端末から、該リーダ端末により読み取られた、記録情報イメージデータを当該記録媒体が実装する非接触ＩＣチップのＩＤと共に受付ける原本データ受付手順と、
前記受け付けた前記非接触ＩＣチップのIDを、非接触ＩＣチップのIDを管理する適宜なデータベースに照合する手順と、
前記照合により、前記受け付けた非接触ＩＣチップのIDが、前記データベースにて予め登録されたIDであるとの結果を得られれば、前記受け付けた前記非接触ICチップのIDに前記記録情報イメージデータを対応付けしてデータベースに記録する原本データ登録手順と、
原本性確認の対象となる記録情報が記録された確認記録媒体に対するリーダ端末による読み込み動作により得られた当該確認記録媒体が実装する非接触ICチップのIDを、当該リーダ端末から受け付ける確認情報受付手順と、
前記リーダ端末から受け付けた確認情報としてのIDに基づいて、対応する記録情報イメージデータを前記データベースにおいて検索し、この記録情報イメージデータを出力端末に送るイメージ送出手順と、
を含むことを特徴とする原本性確認プログラム。
【請求項７】
請求項６に記載の原本性確認プログラムを記録したコンピュータ読み取り可能な記録媒体。
【請求項８】
非接触ICチップのIDを読みとるID読取り手段と、記録媒体に記録されている記録情報のイメージデータを読みとるスキャナ手段とを備え、請求項１〜４のいずれかに記載の原本性確認方法に用いられるリーダ端末。
【発明の詳細な説明】
【０００１】
【発明の属する技術分野】
本発明は、ユニークなIDが対応付けされてこれを記憶している非接触ICチップを用いて、記録媒体に記録された記録情報の原本性を確認する方法に関する。
【０００２】
【背景技術】
官公庁や企業または個人間などでやり取りされる公文書、若しくは文書が記録された紙等の記録媒体それ自体が価値を持った有価証券や金券などは、その授受にあたり原本性の真贋確認が重要になってくる。それ自体が価値を持つことで原本性に着目すべき対象としては、他に美術品、工芸品、写真などもその範疇に含まれる。つまり、記録媒体において、文字、図形、記号、若しくは立体的形状若しくはこれらの結合又はこれらと色彩との結合といった種々の形態をもって記録される様々な記録情報は、原本性を確認すべき状況でその確認対象となりうるのである。
【０００３】
そのような様々な形態の中でも、例えば記録情報の形態が文字の集合である“文書”である場合の原本性確認方法としては、最もポピュラーなものとして文書に捺印またはプリントした印影やバーコード等によるものがあげられる。例えば商取引にあたって印影が付された文書を受け取った側は、この印影が印鑑登録を役所等に予め済ませた印鑑に由来するものであるのか確認することで文書の原本性を確認する。また他に、こういった文書が電子化された情報となっている場合に、印影の代わりに電子署名を用いた認証を実行して原本性確認を実現している。更にこの電子署名の代わりに、特開平１１−２３８０４９号公報に示すように、原本および確認対象の情報ファイル各々に要約関数なる関数を適用して要約情報を生成し、それを照合して原本性確認を行うとする手法も提案されている。
【０００４】
【発明が解決しようとする課題】
しかしながら、従来の手法には改善の余地が存在した。例えば印影を用いた原本性確認方法では、印影をなす印鑑自体を盗用された場合にはそのまま原本性確認が正常に行われてしまい印影が付された記録情報の真贋を確認することが難しくなる。また、認証情報をコード化したバーコード等をプリントした文書であっても、そのバーコード部分だけを切り取って他の文書に貼付しなおして流用する状況には対応しきれていない。他方、記録情報が電子化されている場合の従来の原本性確認方法としてあげた特開平１１−２３８０４９号公報に記載の発明は、あくまでも原本性確認の対象が電子化された文書に限定される点や、電子署名や電子証明書の偽造や盗用に手間がかかるとは言え、それら偽造等が行われてしまえば文書の原本性確認を確実に行うことが困難となりやすい点で改善点が存在した。つまり従来、紙等の記録媒体に印刷されるなどして記録された文書や図画等の記録情報とそれの原本性を証明する手掛かりとなる情報とを分かち難く関連づけして、確実な原本性確認を実現する手法は提案されていなったのである。
【０００５】
そこで本発明はこのような従来の課題に着目してなされたもので、簡便確実な記録情報の原本性確認方法およびシステムを提供することを目的とする。
【０００６】
【課題を解決するための手段】
上記目的を達成する本発明の方法は、ユニークなIDが対応付けされてこれを記憶している非接触ICチップを用いて、記録媒体に記録された記録情報の原本性を確認する方法であって、サーバが、前記記録媒体に対するリーダ端末から、該リーダ端末により読み取られた、記録情報イメージデータを当該記録媒体が実装する非接触ＩＣチップのＩＤと共に受付ける原本データ受付手順と、前記受け付けた前記非接触ＩＣチップのIDを、非接触ＩＣチップのIDを管理する適宜なデータベースに照合する手順と、前記照合により、前記受け付けた非接触ＩＣチップのIDが、前記データベースにて予め登録されたIDであるとの結果を得られれば、前記受け付けた前記非接触ICチップのIDに前記記録情報イメージデータを対応付けしてデータベースに記録する原本データ登録手順と、原本性確認の対象となる記録情報が記録された確認記録媒体に対するリーダ端末による読み込み動作により得られた当該確認記録媒体が実装する非接触ICチップのIDを、当該リーダ端末から受け付ける確認情報受付手順と、前記リーダ端末から受け付けた確認情報としてのIDに基づいて、対応する記録情報イメージデータを前記データベースにおいて検索し、この記録情報イメージデータを出力端末に送るイメージ送出手順と、を含むことを特徴とする。
【０００７】
【発明の実施の形態】
以下に本発明の実施形態について図面を用いて詳細に説明する。図１は実施形態における原本性確認システムを含むネットワーク構成図であり、図２は実施形態における原本データ管理データベースにおけるデータ構成例を示す図である。この実施形態の背景として、本発明の原本性確認方法を実施する管理サーバ１０をある団体が運営し、この団体が管掌する、或いは原本性を証明する権限を有する書類（記録媒体）２０に記された文書３０の原本性確認を前記管理サーバ１０が行う状況を想定する。この場合、前記書類２０には非接触ICチップ４０が漉き込まれており、この非接触ICチップ４０は例えば前記団体がID（以下、チップID）を設定して発行・管理する。或いは第三者機関としてのID管理センタ５０（チップIDの起源となる発行・認証局）が非接触ICチップ４０を、或いはこれを漉き込むなどして実装した記録媒体を発行・管理するとしてもよい。勿論、本実施例だけに本発明の適用範囲が限定されるものではなく、記録媒体において様々な形態でもって記録された記録情報の原本性確認を行うあらゆる状況に本発明を適用することが可能であるのは言うまでもない。
【０００８】
管理サーバ１０は、前記団体が運用するものであって、適宜な通信装置によりインターネット等を介してリーダ端末６０からの文書（記録情報）３０のイメージデータや非接触ICチップ４０のチップIDを受け付ける。なお、前記リーダ端末６０と管理サーバ１０とはネットワークを介して結ばれるとしたが、リーダ端末６０を管理サーバ１０の付帯機器として当該管理サーバ１０のI/Oポート等に直接接続するとしてもよい。受け付けたチップIDは自身のID管理データベース１２での照合処理、或いはID管理センタ５０への照会依頼と認証結果入手により認証処理がなされる。
【０００９】
データベース１１におけるID管理データベース１２は、ID管理センタ５０と同期させる場合、例えば前記ID管理センタ５０からチップID情報を適宜タイミングで受け取ってコピーし、適宜な更新作業が行われているものである。他方、管理サーバ１０でチップIDの発行・管理を行う場合には前記ID管理センタ５０の存在やチップID情報の更新作業は不要となる。リーダ端末６０から受け付けた原本データは、チップIDに前記イメージデータを対応付けした形式で原本データ管理データベース１３に登録される。図２に示すデータ構造例２００にその形式を見て取れる。
【００１０】
本実施形態においては、チップIDをキーに、原本イメージデータのファイル名、リーダ端末６０由来の電子署名、データ格納日時のデータがレコード化されている。なお、ここで示した電子署名は、リーダ端末６０由来の場合のみならず、管理サーバ１０が保有する秘密鍵由来のものである場合も想定出来る。原本データ管理データベース１３における原本データの登録毎に管理サーバ１０が電子署名を施せば、他者のデータ改竄を知見して抑止することにつながる。もちろん、このことはリーダ端末６０由来の電子署名を用いる場合でも同様の効果を奏するし、またリーダ端末６０と管理サーバ１０との間のデータ通信のセキュリティ性を向上させうる。加えて、データ格納日時を記録しておくことで、例えば、文書等の記録情報を改竄した上でこれを原本データとして再登録しようとする者が現れた場合でも、最初に登録されている原本データのレコードを確認可能とする。プログラムデータベース１４は、リーダ端末６０や原本性確認端末７０とのデータ授受に伴って実行される原本データの登録や読み込み、参照処理等を行うアプリケーションプログラムが格納されている。
【００１１】
前記管理サーバ１０はWebサーバとしてもメールサーバとしても勿論、機能可能なサーバである。なおデータベース１１を構成するID管理データベース１２、原本データ管理データベース１３、プログラムデータベース１４は、例えばハードディスクなどの適宜な記憶装置に設けられるものであって、各データベースを一つの記憶装置に集約一体化することもできるし、或いは各データベース毎の記憶装置を互いにネットワークで結んで有機的に稼動可能とするとしてもよい。
【００１２】
ID管理センタ５０は、非接触ICチップ４０のチップIDを発行し、またそのチップIDを記録した非接触ICチップ４０を発行するとともに、管理サーバ１０の依頼を受けてリーダ端末６０由来のチップIDの認証作業を通じた非接触ICチップ４０の真贋確認を実行する。チップIDの発行・認証局といえる。前記チップIDは非接触ICチップ４０と一対一の関係で他に重複無く発行されるものである。なお、このID管理センタ５０は、管理サーバ１０でチップIDの発行・管理を行う場合には特に必要とされない。
【００１３】
なお、上記の管理サーバ１０およびID管理センタ５０は、両者の間でID管理データベース１２における前記非接触ICチップ４０のチップIDについてセキュリティ性と同期性を維持しつつその共有化が図れるのであれば、一体のコンピュータであっても、あるいはネットワーク等を介して有機的に組み合わさったものでもよい。
【００１４】
前記リーダ端末６０は、記録情報としての前記文書３０と書類２０に実装された非接触ICチップ４０とに対する読み込み動作を実行し、その結果得られたデータを原本データとして前記管理サーバ１０に送る役割を果たす。普通は、管理サーバ１０を管理する団体等において原本データの登録処理も行うことが想定されるから、例えば、前記団体の各部署に当該リーダ端末６０が設置され、これらがイントラネットを通じて管理サーバ１０と結ばれる形態が考えられる。このリーダ端末６０は、書類２０を読み込んで、そこに印字された文書３０のイメージデータを取得するイメージスキャナ部と、前記書類２０に実装されている非接触ICチップ４０のチップIDを読みとるチップIDリーダ部とをリーダ機能として備えている。読取り動作により得られた原本データは、例えば電子署名を施した上で通信装置部によりネットワークを介して管理サーバ１０に送られる。管理サーバ１０とリーダ端末６０とが一体になっている場合には、ネットワークを介して原本データの授受を行う必要はない。
【００１５】
原本性確認端末７０は、チップIDリーダ端末７１を備えて、原本性確認の対象となる記録情報が記録された確認記録媒体２５としての書類に対する読み込み動作と、その結果得られた確認情報を管理サーバ１０に送る役割を担う。前記チップIDリーダ端末７１は、少なくとも前記確認記録媒体２５が実装する非接触ICチップ４５のチップID読取り機能を備える他、確認記録媒体２５における文書等の記録情報３５のイメージデータ（記録情報イメージデータ）を取得するスキャナ機能を備えているとより好適である。これら原本性確認端末７０およびチップIDリーダ端末７１が、前記管理サーバ１０と一体になっているとすれば、例示したようにネットワークを介して両者を結ぶ必要はない。また、前記リーダ端末６０と同一、または一体となっているとしてもよい。
【００１６】
なお、前記リーダ端末６０は、図で示したスキャナ型の形態を備えた機器に限定されず、例えばネットワーク接続可能な携帯電話機、kiosk端末、PDA、ゲーム機、デジタルＴＶ、ファックス機などネットワーク接続可能で、非接触ICチップ４０のリーダ機能と記録情報３０のスキャナ機能とを備えるものであればいずれのコンピュータチップを備える機器でもよい。
【００１７】
他方、チップIDリーダ端末７１も、図で示したスキャナ型の形態を備えた機器に限定されず、例えばネットワーク接続可能な携帯電話機、kiosk端末、PDA、ゲーム機、デジタルＴＶ、ファックス機などネットワーク接続可能で、少なくとも非接触ICチップ４０のリーダ機能を備え、好ましくは記録情報３０のスキャナ機能を備えるものであればいずれのコンピュータチップを備える機器でもよい。
【００１８】
加えて、管理サーバ１０、ID管理センタ５０、リーダ端末６０および原本性確認端末７０の少なくともいずれかをつなぐネットワークもインターネットだけでなく、パソコン通信回線、ＬＡＮ、ＷＡＮ、ＡＴＭ、無線ネットワークなど様々なネットワークを採用することが出来る。
また、前記非接触ICチップ４０とは、いわゆるRFIDチップであり、内部にアンテナを持ち、そのアンテナを通じてリーダ端末６０やチップIDリーダ端末７１からの電力供給やデータの読み取りを可能とする。内部構成としては、CPU、RAM、ROM、EEPROMなどを備えており、例えば不揮発性で読み出し専用であるROMまたは不揮発性で電気的に書き換えや消去が可能なEEPROMにチップIDが記録されている。チップIDは、非接触ICチップ４０毎に採番されるユニークな番号であり、記録媒体２０に記録される記録情報３０の例えば担当部署や情報種類毎にJANコードの様に採番ルールを適用することも可能である。
【００１９】
図３は本実施形態における原本性確認方法の実際手順を示す流れ図である。以下、本発明の原本性確認方法の実際手順について説明する。例えば官公庁が前記管理サーバ１０を運営しており、この官公庁が管理する公的資格が、あるビジネス機会の獲得に必須の資格である状況をここでは想定する。こういった状況の下、前記ビジネス機会の獲得を目指しており、かつ自らが前記公的資格を保有する者は、前記官公庁に対して資格保有の証明書発行を申請することになる。一方、前記ビジネス機会を提供する機会提供者は、前記資格証明書の提示をビジネス機会の獲得希望者より受けると共に、受け付けた資格証明書に関する原本性確認を前記官公庁に依頼してその結果を取得する。この資格証明書の原本性確認により、前記のビジネス機会の獲得希望者が真正の公的資格の保有者であるか否かを判断することが出来るのである。
【００２０】
この場合、資格証明書の発行申請を受けてそれを発行する官公庁の側では、記録媒体としての資格証明書２０に対するリーダ端末６０による読取り処理を予め行っておく。この、資格証明書２０に対するリーダ端末６０による読み込み処理によって、資格証明書に記載された文書３０のイメージデータ（以下、文書イメージデータ）と、当該資格証明書２０が実装する非接触ICチップ４０のチップIDとを、当該リーダ端末６０が取得することになる。管理サーバ１０では、前記の文書イメージデータとチップIDとを原本データとしてリーダ端末６０から受け付ける（ｓ３０１）。
【００２１】
この時、受け付けた原本データにリーダ端末６０由来の電子署名が付帯しているか否かをチェックする（ｓ３０２）。リーダ端末６０がネットワークを介して管理サーバ１０と結ばれているなど、データ通信時のセキュリティ管理が重要となる場合には、例えば前記リーダ端末６０が、自身に割り当てられた暗号鍵でもって前記原本データに電子署名を施し、その上で管理サーバ１０に送信すると好適である。ここで電子署名が付帯している場合、管理サーバ１０はこの電子署名についてデータベース１１中で認証処理を行うか、又は認証局等の認証機関に対して電子署名の認証依頼を行う（ｓ３０３）。電子署名が真正ではないとの認証結果が得られた場合、処理は終了する。
【００２２】
この電子署名の認証結果に問題がなければ、或いは原本データにもともと電子署名が付帯していなかった場合、チップIDに関する認証処理を行う。ここでは、管理サーバ１０が備えるID管理データベース１２におけるチップIDの照合処理、或いはID管理センタ５０に対する照合依頼を行うことで、チップIDの認証を行うのである（ｓ３０５）。その結果、リーダ端末６０より受け付けたチップIDが、確かに存在し真正なものであるとの結果が得られれば（ｓ３０６）、このチップIDに、前記文書イメージデータを対応付けし、更に管理サーバ１０の保有する暗号鍵で電子署名を施した上で原本データ管理データベース１３に登録する（ｓ３０７）。他方、チップIDが存在しないか、或いは改竄された疑いがあるといった照合結果が得られれば、処理は終了する。
【００２３】
以上のように資格証明書２０に出力されている文書３０のイメージデータと、この資格証明書２０に漉き込まれた非接触ICチップ４０のチップIDとは一対一に結びつけられて、原本データとして登録が完了する。官公庁は、原本データの登録が完了した資格証明書２０を、前記のビジネス機会の獲得希望者に送る。これを手にした前記獲得希望者は、この資格証明書を前記機会提供者に提示する。機会提供者は、受け取った資格証明書についてその原本性確認を行って、確かにこの獲得希望者は前記官公庁が証明した真正な資格保有者であるか否かを判断することとなる。
【００２４】
そこで前記機会提供者は、受け取った資格証明書２０を前記官公庁の窓口やその出先機関等に携行する。そしてそこに設置されているチップIDリーダ端末７１の所定位置に、資格証明書２０を確認記録媒体２５として載置する。するとこのチップIDリーダ端末７１は、原本性確認の対象となる記録情報３５が記録された確認記録媒体２５に対する読み込み動作を実行し、当該確認記録媒体２５が実装する非接触ICチップ４５のチップIDを読みとる。また、好ましくはチップIDに加えて、前記記録情報３５の記録情報イメージデータとしての文書イメージデータを読みとる。チップIDリーダ端末７１が読みとったこれらのデータは、チップIDリーダ端末７１または原本性確認端末７０により好ましくは電子署名を施した上で確認情報として管理サーバ１０に送られる。
【００２５】
管理サーバ１０はこの確認情報を受け付ける（ｓ３０８）。そして、この確認情報が含むチップIDに基づいて、対応する記録情報イメージデータを前記原本データ管理データベース１３において検索する（ｓ３０９）。そして、確認情報に施された電子署名や、検索された記録情報イメージデータ（以下、原本記録情報イメージデータ）に施された電子署名の認証処理を行う（ｓ３１０）。この処理は上述したとおり、データベース１１における認証処理を行う場合と、認証機関に認証依頼をしてその結果を取得する場合とがある。この認証の結果、原本記録情報イメージデータが不正に改竄されていると判断された場合や、原本性確認端末７０等が確認情報に付した電子署名が不正であると判断された場合、処理は終了する。
【００２６】
署名認証に問題がなければ（ｓ３１１）、確認記録媒体２５の文書イメージデータが確認情報に添付されているか判定する（ｓ３１２）。添付されていないと判定されれば、管理サーバ１０は、前記原本記録情報イメージデータを出力端末としての原本性確認端末７０に送る（ｓ３１３’）。勿論、前記原本記録情報イメージデータを送出する出力端末は、この原本性確認端末７０に限定されず、当該原本性確認端末７０が管理サーバ１０と一体になっている場合などでは、管理サーバ１０が備えるディスプレイやプリンタ等の出力装置であってもよい。
【００２７】
一方、確認記録媒体２５の文書イメージデータが確認情報に添付されていると判定されれば、管理サーバ１０は、この文書イメージデータと前記原本記録情報イメージデータとを照合するなどしてその同一性判定を行う。そしてその判定結果は、前記同様に出力端末としての原本性確認端末７０に送られ（ｓ３１３）、処理は終了する。
【００２８】
本発明に係る実施の形態としては次の通りとしてもよい。前記方法の、前記確認情報受付手順において、原本性確認の対象となる記録情報が記録された確認記録媒体に対するリーダ端末による読み込み動作により得られた記録情報イメージデータと当該記録媒体が実装する非接触ICチップのIDとを、当該リーダ端末から受け付け、前記イメージ送出手順において、前記確認情報受付手順で受け付けた前記IDに対応する原本データたる原本記録情報イメージデータを前記データベースにおいて検索し、この原本記録情報イメージデータと前記確認記録媒体由来の記録情報イメージデータとの同一性判定を行って、この判定結果を出力端末に送ることとする。この実施形態によれば、原本性確認の結果のみを簡便かつ確実に知見することが可能となり、記録情報イメージデータと確認記録媒体に記録されて記録情報とを肉眼で対照する処理を省略でき、係る処理にかかる手間およびコストを低減出来る。
【００２９】
また、前記方法の、前記原本データ受付手順において、前記リーダ端末から原本データを受付けるに際しリーダ端末付与の電子署名を合わせて受け付け、原本データ登録手順において、前記電子署名を前記IDに関係付けて記録することとする。この実施形態によれば、リーダ端末とサーバとがネットワークを介して結ばれている場合に、そのデータ通信のセキュリティ性を高めることが可能となる。
【００３０】
更に、前記方法において、サーバが、原本データ登録手順において登録する原本データに電子署名を施すこととする。この実施形態によれば、データベースに登録された原本データに対する不正な改竄等を適宜抑止または知見することが可能となる。
【００３１】
また、ユニークなIDが対応付けされてこれを記憶している非接触ICチップを用いて、記録媒体に記録された記録情報の原本性を確認するサーバシステムであって、前記記録媒体に対するリーダ端末による読み込み動作によって得られた記録情報イメージデータと当該記録媒体が実装する非接触ICチップのIDとを、当該リーダ端末から受け付ける原本データ受付手段と、受け付けた前記非接触ICチップのIDに前記記録情報イメージデータを対応付けしてデータベースに記録する原本データ登録手段と、原本性確認の対象となる記録情報が記録された確認記録媒体に対するリーダ端末による読み込み動作により得られた当該確認記録媒体が実装する非接触ICチップのIDを、当該リーダ端末から受け付ける確認情報受付手段と、前記リーダ端末から受け付けた確認情報としてのIDに基づいて、対応する記録情報イメージデータを前記データベースにおいて検索し、この記録情報イメージデータを出力端末に送るイメージ送出手段と、を含むことを特徴とする原本性確認システムをなすこととする。この実施形態によれば、簡便確実な原本性確認システムを提供可能となる。
【００３２】
更に、ユニークなIDが対応付けされてこれを記憶している非接触ICチップを用いて、記録媒体に記録された記録情報の原本性を確認する方法をサーバ上で実現するプログラムであって、前記記録媒体に対するリーダ端末による読み込み動作によって得られた記録情報イメージデータと当該記録媒体が実装する非接触ICチップのIDとを、当該リーダ端末から受け付ける原本データ受付手順と、受け付けた前記非接触ICチップのIDに前記記録情報イメージデータを対応付けしてデータベースに記録する原本データ登録手順と、原本性確認の対象となる記録情報が記録された確認記録媒体に対するリーダ端末による読み込み動作により得られた当該確認記録媒体が実装する非接触ICチップのIDを、当該リーダ端末から受け付ける確認情報受付手順と、前記リーダ端末から受け付けた確認情報としてのIDに基づいて、対応する記録情報イメージデータを前記データベースにおいて検索し、この記録情報イメージデータを出力端末に送るイメージ送出手順と、を含むことを特徴とする原本性確認プログラムをなすこととする。本実施形態によれば、簡便確実な原本性確認方法をサーバ上で実現することが出来る。
【００３３】
また、前記原本性確認プログラムを記録したコンピュータ読み取り可能な記録媒体をなすこととする。
【００３４】
更に、非接触ICチップのIDを読みとるID読取り手段と、記録媒体に記録されている記録情報のイメージデータを読みとるスキャナ手段とを備え、前記方法に用いられるリーダ端末をなすこととする。本実施形態によれば、本発明の原本性確認方法およびシステムを好適に実現することが可能となる。
【００３５】
本発明に係る実施の形態にあっては、紙等の種々の記録媒体に印刷されるなどして記録された文書や図画等の記録情報とそれの原本性を証明する手掛かりとなる情報とを分かち難く関連づけして、当該記録情報の簡便かつ確実な原本性確認を実現可能とする効果を奏する。
【００３６】
【発明の効果】
本発明によれば、簡便確実な記録情報の原本性確認方法およびシステムを提供可能となる。
【図面の簡単な説明】
【図１】実施形態における原本性確認システムを含むネットワーク構成図である。
【図２】実施形態における原本データ管理データベースにおけるデータ構成例を示す図である。
【図３】本実施形態における原本性確認方法の実際手順を示す流れ図である。
【符号の説明】
ｓ３０１  原本データ受付手順
ｓ３０７  原本データ登録手順
ｓ３０８  確認情報受付手順
ｓ３１３  イメージ送出手順
【図１】
0004322455.tif 000002
【図２】
0004322455.tif 000003
【図３】
0004322455.tif 000004